(57)【要約】【課題】本発明は、頭髪、あるいは動物の体毛に対応できると共に患部全体の血行促進を行うことを可能とする低周波治療器用電極パット及び低周波治療器を提供することを目的とするものである。【解決手段】第１の電位が印加される正電極部２と、第１の電位よりも低電位である第２の電位が印加される負電極部２Ａと、正電極部２及び負電極部２Ａの少なくとも一側面に突設される複数の電極ポイント３とを備える。【選択図】図１
2011234833.tif 000002
【特許請求の範囲】
【請求項１】
第１の電位が印加される第１の電極部と、
前記第１の電位よりも低電位である第２の電位が印加される第２の電極部と、
前記第１の電極部と第２の電極部の少なくとも一側面に突設された複数の電極ポイントとを備える
低周波治療器用電極パット。
【請求項２】
前記電極ポイントは、前記第１の電極部若しくは前記第２の電極部とは別体として形成されると共に、前記第１の電極部及び前記第２の電極部に貼り合わせられた挟持板に開口された挿通孔に挿通され、
更に、前記電極ポイントの基端には前記挿通孔の開口縁に係留される係留用鍔部が周設された
請求項１記載の低周波治療器用電極パット。
【請求項３】
前記第１の電極部、前記第２の電極部及び前記挟持板は、屈曲自在な可撓性素材より形成される
請求項１または請求項２に記載の低周波治療器用電極パット。
【請求項４】
第１の電位が印加される第１の電極部と、前記第１の電位よりも低電位である第２の電位が印加される第２の電極部と、前記第１の電極部と第２の電極部の少なくとも一側面に突設された複数の電極ポイントとを有する低周波治療器用電極パットと、
前記低周波治療器用電極パットに接続されると共に、低周波パルス発生回路が内蔵された治療器本体とを備える
低周波治療器。
【発明の詳細な説明】
【技術分野】
【０００１】
本発明は低周波治療器用電極パット及び低周波治療器に関する。詳しくは患部の血行を促進させることを目的とした低周波治療器用電極パット及びこの低周波治療器用電極パットを備えた低周波治療器に係るものである。
【背景技術】
【０００２】
従来より、身体の患部に対して低周波電流を導通し、電気的刺激により血行を促進させて細胞を復活させるための低周波治療器の電極パットとして、例えば特許文献１に記載されたものが知られている。具体的には、図７に示すように、正負電極ポイント１０１、１０２を並列又は直列に組み合わせ、導電フィルム１０３に設置することにより電気刺激薄片１０４を形成している。この正負電極ポイント１０１、１０２が導電パス１０５、１０６を経由し、それぞれ正極又は負電極の極性接点部１０７、１０８に接続されているので、各極性接点部１０７、１０８は個別にワイヤ１０９、１１０を通して接続ピン１１１、１１２に接続された構成とされる。
【先行技術文献】
【特許文献】
【０００３】
【特許文献１】実用新案登録第３０９７２５４号公報
【発明の概要】
【発明が解決しようとする課題】
【０００４】
ところで、低周波治療器は一般に身体の患部に正負電極ポイントを当てた状態で導電フィルムを肌に貼り付けるようにして取り付ける。
【０００５】
しかしながら、頭皮や犬などのペットのように体毛が生えた箇所に貼り付けて使用しようとすると、体毛が邪魔になって電極ポイントの先端が皮膚に接触し難い問題がある。
【０００６】
また、従来の低周波治療器はつぼに導電させて電気的刺激を与えることを目的としたものが一般的であり、患部全体、あるいは頭皮全体の血行を促進させることは困難である。
【０００７】
例えば、犬などの動物は体全体が毛で覆われているためにリハビリとして低周波治療を行う場合には突起状の電極ポイントを皮膚に直に当接させることが困難となり、しかもツボに当てての治療は非常に困難である。
【０００８】
本発明は以上の点に鑑みて創案されたものであって頭髪、あるいは動物の体毛に対応できると共に患部全体の血行促進を行うことを可能とする低周波治療器用電極パット及び低周波治療器を提供することを目的とするものである。
【課題を解決するための手段】
【０００９】
上記の目的を達成するために、本発明に係る低周波治療器用電極パットは、第１の電位が印加される第１の電極部と、前記第１の電位よりも低電位である第２の電位が印加される第２の電極部と、前記第１の電極部と第２の電極部の少なくとも一側面に突設された複数の電極ポイントとを備える。
【００１０】
ここで、第１の電極部と第２の電極部の少なくとも一側面に突設される複数の電極ポイントを備えることによって、患部全体の血行を促進させることが可能となる。
【００１１】
また、電極ポイントが第１の電極部や第２の電極部と別体として形成された場合であっても、第１の電極部及び第２の電極部に貼り合わせられた挟持板に開口された挿通孔に電極ポイントが挿通し、更に電極ポイントの基端に周設された係留用鍔部を挿通孔の開口縁に係留させることで、第１の電極部や第２の電極部から電極ポイントを突設することが可能となる。
【００１２】
また、第１の電極部、第２の電極部及び挟持板が屈曲自在な可撓性素材より形成されることによって、患部の形状に応じて電極ポイントを均一に当接させることが可能となる。
【００１３】
また、上記の目的を達成するために、本発明に係る低周波治療器は、第１の電位が印加される第１の電極部と、前記第１の電位よりも低電位である第２の電位が印加される第２の電極部と、前記第１の電極部と第２の電極部の少なくとも一側面に突設された複数の電極ポイントとを有する低周波治療器用電極パットと、前記低周波治療器用電極パットに接続されると共に、低周波パルス発生回路が内蔵された治療器本体とを備える。
【００１４】
ここで、所定電位のパルス電圧が印加される第１の電極部と、前記所定電位よりも低電位のパルス電圧が印加される第２の電極部の少なくとも一側面に突設される複数の電極ポイントを備えた電極パットを患部に押し当てて低周波パルスを流すことによって患部全体の血行を促進させることが可能となる。
【発明の効果】
【００１５】
本発明の低周波治療器用電極パットでは複数の電極ポイントによって患部全体の血行を促進させることが可能となる。
【００１６】
また、複数の電極ポイントによって頭皮や犬などのペットのように体毛が生えた皮膚に対して安定した接触が可能となる。
【図面の簡単な説明】
【００１７】
【図１】本発明を適用した低周波治療器用電極パットの一例を示す模式図である。
【図２】本発明を適用した低周波治療器用電極パットの他の例を示す模式図である。
【図３】本発明を適用した低周波治療器用電極パットの組立て状態を示す要部拡大模式図である。
【図４】本発明を適用した低周波治療器の一例を示す模式図である。
【図５】本発明を適用した低周波治療器の使用形態の一例を示す模式図である。
【図６】本発明を適用した低周波治療器の電極パットの他の形態を示す模式図である。
【図７】従来の低周波治療器の一例を示す模式図である。
【発明を実施するための形態】
【００１８】
以下、本発明の実施の形態を図面を参酌しながら説明し、本発明の理解に供する。
【００１９】
＜実施例１＞
図１は本発明を適用した低周波治療器用電極パットの一例を示す模式図であり、ここで示す電極パット１は、正電極部２と負電極部２Ａとから構成され、それぞれの正電極部２と負電極部２Ａの一側面上に複数の電極ポイント３が立設された構成とされている。
【００２０】
なお、ここで言う正電極部２は、第１の電位が印加される第１の電極部の一例であり、負電極部２Ａは、第１の電位よりも低電位である第２の電位が印加されるパルス電圧よりも低電位のパルス電圧が印加される第２の電極部の一例である。
【００２１】
従って、正電極部２には第１の電位（高電位）のパルス電圧が印加され、負電極部２Ａには第１の電位よりも低電位である第２の電位のパルス電圧が印加されることで患部の皮膚を通して正電極部２から負電極部２へ低周波電流が流れる構成とされている。
【００２２】
ここで、電極ポイント３は頭髪や動物の体毛の間に差し込むことができ、かつ長さを有する導電性材料によって形成されている。更に、電極ポイント３の先端は皮膚を傷つけないように球面状に形成されている。
【００２３】
また、正電極部２及び負電極部２Ａは銅板等の可撓性を有する導電性材料より形成されている。この正電極部２及び負電極部２Ａにはそれぞれ導子コード接続口９が設けられ、この導子コード接続口９に導子コード４、４Ａの一端側に取り付けられる導子コードプラグ１０が接続されると共に、これらの導子コード４、４Ａは中途より収束されて他端側に差し込みプラグ５が接続された構成とされている。
【００２４】
この差し込みプラグ５は、低周波治療器（図示せず。）の差し込み口（図示せず。）に差し込められることによって正電極部２及び負電極部２Ａに低周波電流が通電される構成とされている。
【００２５】
ここで、正電極部２及び負電極部２Ａに低周波電流が通電されることで、これらの正電極部２及び負電極部２Ａの一側面に配列された複数の電極ポイント３に通電され、その先端より皮膚を通して正電極部２及び負電極部２Ａ間に低周波電流を通電させることとなる。
【００２６】
次に、図２（図２（イ）は本発明を適用した低周波治療器用電極パットの組立てる前の状態を示す分解模式図、図２（ロ）は本発明を適用した低周波治療器用電極パットの組立てた状態を模式図である。）は、本発明を適用した低周波治療器用電極パットの他の例を示す模式図である。
【００２７】
ここで示す電極パット１は、図２（イ）で示すように、正電極部２及び負電極部２Ａと、これらの正電極部２及び負電極部２Ａと略同じ大きさとされる挟持板６と、複数の電極ポイント３とから構成されている。
【００２８】
ここで、挟持板６は可撓性を有するプラスチック等の絶縁性部材より形成されると共に、電極ポイント３が挿通可能な挿通孔７が複数配列された構成とされている。
【００２９】
また、それぞれの電極ポイント３の基端に係留用鍔部８が周設され、この電極ポイント３を挟持板６の挿通孔７に挿通した際に電極ポイント３の基端の係留用鍔部８が挿通孔７の開口縁に係留する構成とされている。
【００３０】
そこで、図２（ロ）で示すように、挟持板６の各挿通孔７に各電極ポイント３を挿通し、各電極ポイント３基端の係留用鍔部８が、挟持板６の挿通孔７の開口縁に係留した状態で正電極部２及び負電極部２Ａによって挟持板６と貼り合わされた構成とされている。
【００３１】
これにより、図３に示すように挟持板６の挿通孔７に挿通された電極ポイント３の係留用鍔部８が挿通孔７の開口縁に係留した状態で正電極部２及び負電極部２Ａと挟持板６によって挟んだ状態で接着剤によって固着されることによって電極ポイント３の取り付けが容易に行うことが可能となる。
【００３２】
また、正電極部２及び負電極部２Ａを挟持板６と同様に可撓性を有する導電性薄板により形成することによって挟持板６と正電極部２及び負電極部２Ａの一側面を重ね合わせて接着した場合に患部の曲面に対して自在に曲げることが可能とされる。
【００３３】
これにより、頭皮や犬の胴体のように患部に曲面を有する場合であっても、正電極板２及び負電極板２Ａを患部の曲面に応じて曲げることができるために正電極板２及び負電極板２Ａ面に突設される複数の電極ポイント３を患部に均一に押し当てることが可能となり、患部全体に低周波電流を均一に流すことが可能となる。
【００３４】
また、それぞれの電極ポイント３は、その基端が正電極部２及び負電極部２Ａに圧接した状態で取り付けられることで正電極部２及び負電極部２Ａとが通電状態とされる。
【００３５】
また、正電極部２及び負電極部２Ａの一端には導子コード接続口９が設けられ、この導子コード接続口９に導子コード４、４Ａの一端側に取り付けられる導子コードプラグ１０が接続される。
【００３６】
これにより、正電極部２及び負電極部２Ａに低周波電流が通電されることで、これらの正電極部２及び負電極部２Ａの一側面に配列された複数の電極ポイント３に通電され、その先端より皮膚を通して正電極部２と負電極部２Ａとの間に低周波電流が通電されることとなる。
【００３７】
以上の構成より本発明の低周波治療器用電極パットでは、正電極部２及び負電極部２Ａの一側面に複数の電極ポイント３を突設した構成とすることにより、頭髪、あるいは犬などのように体毛の生えた皮膚に対して髪や体毛の間に各電極ポイント３が挿入されて患部全体に渡って電極ポイント３の先端が接触することが可能となる。
【００３８】
ここで、正電極部２及び負電極部２Ａによって患部を挟んだ状態で配置し、正電極部２に高電位のパルス電圧を印加し、負電極部２Ａに低電位のパルス電圧を印加することによって正電極部２より各電極ポイント３を通して負電極部２Ａの各電極ポイント３へ低周波パルス電流が流れることとなり患部全体に渡って血行が促進されて広い範囲での治療が可能となる。
【００３９】
＜実施例２＞
図４は本発明を適用した低周波治療器の一例を示す模式図であり、ここで示す低周波治療器１１は、治療器本体１２と、電極パット１（図示せず。）を備えた構成とされている。
【００４０】
ここで、治療器本体１２は導子コード４、４Ａの差し込みプラグ５を接続するための導子コード差し込み口１３、治療器本体１２の正面側には液晶表示による表示部１４、電源のＯＮ／ＯＦＦを切り替えることができる電源スイッチ１５、低周波の強弱を調整することができる低周波強弱スイッチ１６及び治療時間を自在に設定することができるタイマー設定ボタン１７を備えた構成とされている。
【００４１】
次に、治療器本体１２内には電池等による電源（図示せず。）によって低周波パルスを発生させる低周波パルス発生回路（図示せず。）が内蔵され、この低周波パルス発生回路に導子コード差し込み口１３が接続された構成とされている。
【００４２】
従って、導子コード差し込み口１３に導子コード４、４Ａの他端側に取り付けられる差し込みプラグ５を差し込むと共に、導子コード４、４Ａの一端側に取り付けられる導子コードプラグ１０を電極パット１の正電極部２及び負電極部２Ａの導子コード接続口９に差し込むことによって低周波パルス発生回路に接続された状態となり皮膚に正、負電極部２、２Ａの電極ポイント３を押し当てることで正電極部２及び負電極部２Ａとの間に低周波電流が流れることとなる。
【００４３】
ここで、電極パット１は前記図２において詳述したように、正電極部２及び負電極部２Ａと、これらの正電極部２及び負電極部２Ａと略同じ大きさとされる挟持板６と、複数の電極ポイント３とから構成されている。
【００４４】
なお、ここで言う正電極部２は、第１の電位が印加される第１の電極部の一例であり、負電極部２Ａは、第１の電位よりも低電位である第２の電位が印加されるパルス電圧よりも低電位のパルス電圧が印加される第２の電極部の一例である。
【００４５】
従って、正電極部２には第１の電位（高電位）のパルス電圧が印加され、負電極部２Ａには第１の電位よりも低電位である第２の電位のパルス電圧が印加されることで患部の皮膚を通して正電極部２から負電極部２へ低周波電流が流れる構成とされている。
【００４６】
また、それぞれの電極ポイント３の基端に係留用鍔部８が周設され、この電極ポイント３を挟持板６の挿通孔７に挿通した際に電極ポイント３の基端の係留用鍔部８が挿通孔７の開口縁に係留する構成とされている。
【００４７】
そこで前記図３に示すように挟持板６の挿通孔７に電極ポイント３を挿通することによって挿通孔７の開口縁に係留する電極ポイント３の基端の係留用鍔部８を正電極部２及び負電極部２Ａと挟持板６によって挟んだ状態で接着剤によって固着した構成とされている。
【００４８】
これにより、それぞれの電極パット１は、その基端が正電極部２及び負電極部２Ａに圧接した状態で取り付けられる。従って、正電極部２及び負電極部２Ａに低周波電流が通電されることで、これらの正電極部２及び負電極部２Ａ面に配列された複数の電極ポイント３に通電され、その先端より皮膚を通して正電極部２と負電極部２Ａとの間に低周波電流が流れることとなる。
【００４９】
本発明を適用した低周波治療器では図５に示すように、例えば犬Ａを対象とする場合には、前記図１において詳述したように、一対とされる電極パット１の正電極部２及び負電極部２Ａの電極ポンイト３を犬Ａの患部の近傍の皮膚に押し当てた状態でゴムバンドＢ等によってそれぞれの電極パット１を固定する。
【００５０】
ここで、電極パット１は患部、あるいは患部近傍の曲面形状に応じて曲げることができるために、皮膚面に対して針状とされる複数の電極ポイント３を体毛の間に挿し入れて入れて、その先端を皮膚全体に当接した状態でゴムバンド（図示せず。）等によって皮膚に押し付けて固定することが可能となる。
【００５１】
また、図６（図６（イ）は本発明を適用した低周波治療器の電極パットの一例の模式図を示し、図６（ロ）は本発明を適用した低周波治療器の電極パットの他の例の模式図を示す。）に示すように、電極パット１の両側端に沿ってバンド挿通用環状部１８を取り付け、このバンド挿通用環状部１８にゴムバンドＢ等を挿し通して患部位置となるように適宜移動させてゴムバンドＢのワンタッチ式の連結部Ｃによって固定させることが容易に行えることが可能となる（図６（イ）参照。）。
【００５２】
また、電極パット１の裏面側に面状圧着テープ１９を取り付けることにより布状のバンド（図示せず。）に対して患部位置となるように自在に取り付けることが可能となる（図６（ロ）参照。）。
【００５３】
そこで前記図４で詳述したように治療器本体１２の電源スイッチ１５によって電源をＯＮにして正電極部２に高電位のパルス電圧を印加し、負電極部２Ａに低電位のパルス電圧を印加して正電極部２と負電極部２Ａとの間に低周波電流を発生させる。この場合に低周波強弱スイッチ１６によって患部の状態に応じた周波数に設定すると共に、タイマー設定ボタン１７を操作して所定の通電時間に設定する。
【００５４】
このようにすることによって正電極板部２に形成される複数の電極ポイント３から負電極板部２Ａに形成される複数の電極ポイント３へ皮膚内を通して低周波電流が流れることで患部及び患部近傍の血行を促進させて患部の治癒を行うことが可能となる。
【００５５】
また、電極パット１を頭皮（図示せず。）に当てて低周波パルス電流を流すことによって頭皮全体の血行が促進される効果を奏する。
【符号の説明】
【００５６】
１        電極パット
２        正電極部
２Ａ      負電極部
３        電極ポイント
４、４Ａ  導子コード
５        差し込みプラグ
６        挟持板
７        挿通孔
８        係留用鍔部
９        導子コード接続口
１０      導子コードプラグ
１１      低周波治療器
１２      治療器本体
１３      導子コード挿し込み口
１４      表示部
１５      電源スイッチ
１６      低周波強弱スイッチ
１７      タイマー設定ボタン
１８      バンド挿通用環状部
【図１】
2011234833.tif 000003
【図２】
2011234833.tif 000004
【図３】
2011234833.tif 000005
【図４】
2011234833.tif 000006
【図５】
2011234833.tif 000007
【図６】
2011234833.tif 000008
【図７】
2011234833.tif 000009